(57)【特許請求の範囲】
【請求項１】
機器貯蔵プールのプール底に設けた穴と、前記機器貯蔵プールに隣設されたオペレーションフロア上に仮置きされカメラを昇降させるカメラ昇降駆動部と、前記機器貯蔵プール底に設けた穴上に仮置きされインペラシャフトの頭部を回転可能に支持するインペラシャフト頭部支持台と、前記プール底に設けた穴の底部に仮置きされインペラシャフトを回転させるインペラシャフト回転駆動部と、前記カメラ昇降駆動部及びインペラシャフト回転駆動部を制御する制御部からなることを特徴とするインペラシャフト検査装置。
【請求項２】
前記プール底に設けた穴上に水密に着脱自在なチューブを設置してなることを特徴とする請求項１記載のインペラシャフト検査装置。
【請求項３】
前記プール底に設けた穴にその底部をさらに掘り下げた深穴を設けてなることを特徴とする請求項１記載のインペラシャフト検査装置。
【発明の詳細な説明】
【０００１】
【発明の属する技術分野】
本発明は、改良型沸騰水型軽水炉（以下ＡＢＷＲ）の原子炉内蔵型再循環ポンプ（以下ＲＩＰ）のインペラシャフト検査装置に関する。
【０００２】
【従来の技術】
従来のＲＩＰインペラシャフト検査装置は図４に示すように使用済燃料貯蔵プール１の床２上に設置され、カメラ３を昇降させるレール４と、前記レール４を支持する主柱５と、インペラシャフト６を回転させる回転台７と、前記回転台７を支持するベース８と、ベース８に設置されインペラシャフト６の頭部を回転可能に支持するインペラシャフト頭部支持台９と、カメラ３の昇降駆動およびインペラシャフト６の回転駆動を行う駆動部と、前記駆動部を制御する制御部から構成されている。カメラ３はオペレーションフロア１０上に設置されている。
【０００３】
以上の構成のインペラシャフト検査装置において、前記主柱５はプール１壁に強固に連結されている。更に前記主柱５は頂部を駆動部１１により強固に固定されている。また、インペラシャフト頭部支持台９は脚１２によりベース１３と、腕１４により主柱５と強固に連結されている。なお、主柱５，インペラシャフト頭部支持台９，ベース１３も各々強固な構造となっている。このような強固な構造は耐震性能を確保するためには必要な構造であるが、その一方で装置のメンテナンスに関わる分解および組立の容易さを阻害する要因となっている。
【０００４】
【発明が解決しようとする課題】
前記構成の場合、装置が使用済燃料貯蔵プール内に恒久的に設置されていることにより装置の分解，点検および部品交換作業に長時間を要するために放射線被曝時間が長いこと、従来インペラシャフトの除染作業を行う際にはその都度除染容器を使用済燃料貯蔵プール内に設置するために、長期にわたる工事が必要であるという課題がある。
【０００５】
本発明は、上記課題を解決するためになされたもので、従来耐震性能確保のために使用済燃料貯蔵プール内に恒久的に強固な連結構造で設置されていたインペラシャフト検査装置を、耐震性能を確保しつつ仮置き可能な構成にし、装置の分解，点検および部品交換作業を短時間で実施でき、インペラシャフトの除染作業を行う際の工事期間を短縮させ作業員の放射線被曝量を大幅に低減させることができるインペラシャフト検査装置を提供することにある。
【０００６】
【課題を解決するための手段】
本発明の請求項１に対応するインペラシャフト検査除染装置は、機器貯蔵プール底に設けた穴と、オペレーションフロア上に仮置きされカメラを昇降させるカメラ昇降駆動部と、前記プール底に設けた穴上に仮置きされインペラシャフトの頭部を回転可能に支持するインペラシャフト頭部支持台と、前記プール底に設けた穴底に仮置きされインペラシャフトを回転させるインペラシャフト回転駆動部と、カメラ昇降駆動部およびインペラシャフト回転駆動部を制御する制御部から構成される。
【０００７】
ドライヤセパレータ仮置きプール底に設けた穴は、インペラシャフト，インペラシャフト回転駆動部を収納するためのものである。また、耐震性能確保のための強固な構造物は原子炉建屋そのものが受け持つ構成になっている。
【０００８】
請求項２に対応するインペラシャフト検査装置は前記プール底に設けた穴上に水密に仮置き可能なチューブを設置でき、前記プールと本チューブ内を隔離することが可能なため前記プール内を汚染させずにチューブ内でのみインペラシャフトの除染作業が可能である。
【０００９】
請求項３に対応するインペラシャフト検査装置は、前記プール底に設けた穴において、穴底に更に深穴を設け、仮置きされているインペラシャフト頭部支持台およびインペラシャフト回転駆動部を他の場所に移動することにより燃料取替機のマスト調整が可能なようになっている。
【００１０】
【発明の実施の形態】
図１により本発明の請求項１に対応するインペラシャフト検査装置の第１の実施の形態を説明する。
図１において符号１５はＡＢＷＲの原子炉建屋の上部に設けられた機器貯蔵プールで、このプール１５は定期検査時にプール水で満たされ原子炉内から取り出した蒸気乾燥器および気水分離器等の炉内機器を保管するものである。
【００１１】
この機器貯蔵プール１５のプール床１６には垂直方向に掘り下げられた筒状穴１７が形成されている。
穴１７の上端面を覆うようにプール床１６上にインペラシャフト頭部支持台９が仮置きされ、穴１７の底部にインペラシャフト回転駆動部１８が仮置きされている。
【００１２】
インペラシャフト頭部支持台９は、ＲＩＰのインペラシャフト６の頭部を回転可能に支持しており、水平方向の荷重を支える。インペラシャフト回転駆動部１８はインペラシャフト６の下部を支持しており、垂直方向の荷重を支持するとともにインペラシャフト６を回転させる。
【００１３】
カメラ昇降駆動部１９はオペレーションフロア１０上に仮置きされており、検査時にカメラ３を穴１７の内部で昇降動作させ、収納時にオペレーションフロア１０上に引き上げ動作させるとともに、カメラケーブル（図示せず）を自動で巻き取るようになっている。また、インペラシャフト回転駆動部１８には穴１７の開口部までカメラ昇降用ガイドレール２０が設けられ、カメラの昇降動作を円滑に行えるようになっている。
【００１４】
以上の構成により、耐震性能確保のため強固な構造物にする必要があった図４に示した主柱５および脚１４は、元来強固に建造されている原子炉建屋そのもので代用することができ、インペラシャフト頭部支持台９，インペラシャフト回転駆動部１８およびカメラ昇降駆動部１９に必要な剛性が軽減され、強固な連結構造とする必要がなくなったために分解および部品交換が大幅に容易になり、インペラシャフト検査装置の分解，点検および部品交換工事期間を短時間で終了させることが可能である。
【００１５】
次に図２により本発明の請求項２に対応するインペラシャフト検査装置の第２の実施の形態を説明する。
本実施の形態は図２に示したように、図１におけるカメラ昇降駆動部１９を取外してプール底１６上にオペレーションフロア１０まで達する長さの長尺チューブ２１を仮置きしたことにある。
【００１６】
チューブ２１の下端には、フランジ２２が設けられ、プール底１６に恒久的に設置されたリング２３と接続し水密構造を達成する。これらにより、穴１を含むチューブ７の内部は外部と隔離されるようになっており、チューブ７の内側において外側のプール水を汚染させずに化学除染等が可能である。
【００１７】
また、機器貯蔵プール１５内でインペラシャフト６の化学除染に際してチューブ７を設置するための工事はチューブ７をプール床１６上にフランジ２２を介して仮置き設置するだけでよいので、短期間で工事を済ませることが可能であり、工期短縮により放射線の被曝量を低減できる。
【００１８】
次に図３により本発明の請求項３に対応するインペラシャフト検査装置の第３の実施の形態を説明する。
本実施の形態は図３に示したように穴１７の底部を掘り下げて、穴１７の底部に第２の穴として穴１７により細径の深穴２４を設けたことにある。この深穴２４の直径および長さは燃料取替機のマストを全部降ろすことができ、マスト調整ピットを兼用できるサイズとなっている。
【００１９】
本実施の形態によれば、仮置きされているインペラシャフト頭部支持台９およびインペラシャフト回転駆動部１８を移動することによって、燃料取替機のマスト調整を行うことができる。また、機器貯蔵プールに必要な穴数を減らすことができるため、原子炉建屋の耐震性向上を図ることができる。
【００２０】
【発明の効果】
本発明によれば、ＡＢＷＲにおいて、ＲＩＰを短期間で容易に分解，点検および部品交換ができ、かつ原子炉圧力容器内およびインペラシャフトの化学除染等に必要な準備工事を短期間で終了でき、しかも作業員の放射線被曝を大幅に低減することができるインペラシャフト検査装置を提供できる。
【００２１】
また、燃料取替機のマスト調整ピットを本発明のインペラシャフト検査装置で代用することができ、機器貯蔵プールに必要な穴が減るため、原子炉建屋の耐震性能を向上させることが可能である。さらに、従来水深４ｍで行っていたインペラシャフトの検査を水深８ｍで行えるためにしゃへい効果が増し、さらに被曝量を低減させることが可能である。
【図面の簡単な説明】
【図１】本発明に係るインペラシャフト検査装置の第１の実施の形態を一部断面で示す立面図。
【図２】本発明に係るインペラシャフト検査装置の第２の実施の形態を一部断面で示す立面図。
【図３】本発明に係るインペラシャフト検査装置の第３の実施の形態を一部断面で示す立面図。
【図４】従来のインペラシャフト検査装置を一部断面で示す立面図。
【符号の説明】
１…使用済燃料貯蔵プール、２…プール床、３…カメラ、４…レール、５…主柱、６…インペラシャフト、７…回転台、８…ベース、９…インペラシャフト頭支持台、１０…オペレーションフロア、１１…駆動部、１２…脚、１３…ベース、１４…腕、１５…機器貯蔵プール、１６…プール床、１７…穴、１８…インペラシャフト回転駆動部、１９…カメラ昇降駆動部、２０…ガイドレール、２１…チューブ、２２…フランジ、２３…リング、２４…深穴。
【図１】
0003604257.tif 000002
【図２】
0003604257.tif 000003
【図３】
0003604257.tif 000004
【図４】
0003604257.tif 000005